(57)【要約】      （修正有）【課題】高齢者と子供が日常生活の一時を共有してもらうシステムを提供する。【解決手段】システムは高齢者と子供が接する機会をつくり、お互いを理解し、日常生活の一時を共有するものである。高齢者と子供広く募集し、募集した人材にはシステムを理解していただく。高齢者と子供が定期的に面会することで、高齢者にはほんとうの笑顔が生まれ最良の癒しになり、いままで経験したことを話したり、一緒に遊ぶことで痴呆の防止になる。子供は経験豊かな高齢者からいろんなことを学べ、人格育成の一環として寄与できる。【選択図】図１
2011040014.tif 000002
【特許請求の範囲】
【請求項１】
高齢者と子供が日常生活の一時を共有することで、高齢者にはほんとうの笑顔・癒しの時間・痴呆防止等、子供には高齢者の知識を理解・人格育成等に寄与することを目的とした、高齢者と子供の相互紹介と長期的な継続管理を行うためのシステムである。
【発明の詳細な説明】
【技術分野】
【０００１】  本システムは、高齢者と子供（少年・少女及び幼児）を相互紹介し、日常生活の一時を共有してもらうシステムである。本システムにより、高齢者には笑顔と最良の癒しを提供でき、痴呆の防止になると考えます。子供には経験豊かな高齢者からいろんなことを学べ、人格育成の一環として寄与できると考えます。
【背景技術】
【０００２】  従来、幼稚園等において園児全員が福祉施設を訪れ、高齢者と時間を共有することがしばしば見られる。ただし、年１回という限られた行事的なものであり、多数対多数の面接あり、直接の対話等は極めて短時間である。【０００３】  特許文献１のように、ネット技術を用いて、高齢者と幼児を会話させ、高齢者の心の癒しを目的とした技術が開示されている。【０００４】  パソコンのＯＳ（オペレーティングシステム）であるＷｉｎｄｏｗｓがある。これは、オペレーターとパソコンを対話させる基本システムであり、Ｗｉｎｄｏｗｓを介してオペレーターが必要とするアプリケーションソフトを起動させて、文書作成、表計算等の多くのことができる
【先行技術文献】
【特許文献】
【０００５】
【特許文献１】特開２００５−１９６６４０
【発明の概要】
【発明が解決しようとする課題】
【０００６】  産業の発展とともに都市に住む人口が増え、核家族化が進行し、両親、兄弟の家庭が多くなり、子供が祖父母と過ごす時間が非常に少なくなっている。過疎化に悩む地区では住民の高齢化が進行し、福祉活動にたよる高齢者も多いが、福祉活動できる人材が少ない。【０００７】  近年の高齢者に対する福祉活動は、医療関係や身辺関係（介護機器含む）が主流であり、高齢者がほんとうに癒されているかは疑問である。また、高齢者福祉施設では何気なく１日を過ごしている高齢者が多い。【０００８】  三世代住居の子供は、両親から怒られたりしても、なぐさめてくれる祖父母が同居していたために、心が癒されていた。しかし、核家族では両親から怒られたりしてもなぐさめてくれる祖父母が近くにいないため、心がゆがんだ性格になり、青少年犯罪につながることが懸念される【０００９】  パソコンを使用できる高齢者は多くなく、特許文献１のようなネット技術を使用したシステムでは適用範囲が限られる。テレビ電話等では費用が高価となり、高齢者と子供（保護者）に負担がかかる。
【課題を解決するための手段】
【００１０】  本システムは高齢者と子供が接する機会をつくり、お互いを理解し、日常生活の一時を共有するものである。［特許文献１］とは異なり、１対１（マン・ツー・マン）で面会することが特徴である。当システムのしくみは［０００４］に示すＷｉｎｄｏｗｓと類似するところがあるために、［図３］に示すとおり比較しながら説明する。ただし、Ｗｉｎｄｏｗｓは人とコンピューターの対話を図るためのシステムであるのに対して、本システムは人と人を対話させるシステムである。また、Ｗｉｎｄｏｗｓはコンピューター言語を用いたプログラムであるのに対して、本システムは高齢者と子供の相互間で人が動いて行うシステムである。【００１１】  子供と逢って遊んだり話したい高齢者、高齢者と逢って遊んだり話してもよい子供を、機関情報誌等の広告機関および説明会等で募集する。Ｗｉｎｄｏｗｓでもパソコン情報誌等で広告するのと同様である。【００１２】  募集した人材は面接を行い、システムとの適応性を評価し、適応しない場合は適応するまでシステムを理解する教育を行う。この教育の過程で個人の状態が把握でき、よりシステム内での活動ができるものと考える。Ｗｉｎｄｏｗｓでも雑誌を見て個人把握、講習場に行って教授してもらうのと同様である。【００１３】  高齢者、子供はデータベースに登録していただき、容易に判別可能な状態にしておく。また紹介するための基礎資料とする。個人情報保護の観点から、データベースは厳重な管理を行い、外部に漏洩しないようにする。Ｗｉｎｄｏｗｓでもユーザー登録するのと同様である。【００１４】  募集に応じてデータベースより適応する人材を選別し、募集者に報告する。報告内容の了解を得て、高齢者、子供が納得するまで紹介する。長期間付き合っていただくために、高齢者一人と子供一人（保護者同伴）の１対１の紹介を行うことを原則とする。Ｗｉｎｄｏｗｓではパソコンを購入して電源を入れ、実際にＷｉｎｄｏｗｓというシステムを経験する。【００１５】  高齢者、子供の納得が得て、両者が日常生活を共有する日時、場所等を設定する。最初の面会ではシステムを説明した管理者、高齢者、子供（保護者同伴）の三者で行い、面会後の感想を聴取する。管理者は両者の定期的な面接の了承が得られなければ、再度人材の検討を行う。【００１６】  高齢者と子供の定期的な面会を実施していただき、面会の感想、心情を報告していただく。高齢者には聴取し、子供は保護者を通して所定の様式に記入して報告していただく。両者が面会するは、週１回〜２週１回のペースを原則とする。高齢者の健康状態等を把握するためにはもう少し密が理想的であるが、互いの状態を話し合い、互いに決めるものとする。Ｗｉｎｄｏｗｓではユーザーからのアンケート等に相当する。【００１７】  高齢者には可能な限り幼児の段階から接していただき、子供の成長する姿を確認しながら長生きする意欲をもってほしい。また、随時変化する子供の状態および接し方の変化を記憶することで痴呆防止の一環としてほしい。【００１８】  管理者は［００１６］に示す共有した時間の内容や感想及び報告にもとづいて、地域特性や心情の変化等を考慮し、システム内容の変更が必要と考えられた場合は、随時対応できるシステムに変更する。Ｗｉｎｄｏｗｓでは英語版、日本語があるのとバージョンアップに相当する。
【発明の効果】
【００１９】  高齢者は子供と話すとき、ほんとうの笑顔で接します。その笑顔こそ最良の癒しになるものと考えます。また、いままで経験したことを話したり、一緒に遊ぶことで痴呆の防止になるものと考えます。実際、孫と一緒に遊ぶ高齢者に痴呆は少ない。【００２０】  子供は、高齢者が聞き上手であるためにいろいろなことを話し、胸の中にしまっていた事情を話すことでうっぷんをはらせます。また、両親から怒られてもなぐさめられ、経験豊かな高齢者からどのようにしたら良いか学べます。人格育成の一環として寄与できるものと考えます。
【図面の簡単な説明】
【００２１】
【図１】高齢者、子供、システム管理者、関係を示した関係図である。
【図２】本システムとＷｉｎｄｏｗｓの概念図である。
【図３】本システムの流れとＷｉｎｄｏｗｓを利用するまでと対比したフローチャートである。
【発明を実施するための形態】
【００２２】  本システムを実施するための形態について図面を参照して説明する。［図１］に示すとおり本システムは、高齢者、子供（保護者を含む）の相互関係で成り立つが、両者の状態を常に把握しておくシステム管理者を配置し、責任をもってシステムの維持管理を行うものとする。
【００２２】  高齢者は、在宅の場合は個人管理もしくは近親者で管理していただくが、福祉施設入居の場合は福祉施設及び近親者の代表者の了解を得るものとする。
【００２３】  子供は、幼稚園児〜小学生を対象とし、行動に関しては保護者同伴を原則とする。
【００２４】  システム管理者は、［００２２］及び［００２３］に示す二者を［図３］に示すフローチャートに準じて紹介し、面接を行い、両者の関係が維持できるように管理する。ただし、システム内で問題が発生しないように随時確認し、責任をもって対処する。これは、Ｗｉｎｄｏｗｓのサポートに相当する。
【００２５】  Ｗｉｎｄｏｗｓでも英語版、日本語版及びバージョンアップがあるように、地域の特性および二者の心情を考慮して、システム管理者はシステム内容の変更の必要性を検討し、適応するシステムに変更する。
【００２６】  図２に示すとおりＷｉｎｄｏｗｓ上で文章作成、表計算等のアプリケーションが作動可能なのと同様に、本システムでも遊び、教育等のプログラムを考案して実行することが可能である。
【実施例】
【００２７】  ある日、公園でおばあちゃん（７５〜８０歳くらい）の座っているベンチに子供（幼稚園年少組の５歳くらい）と座ると、高齢者が子供の仕草をじっと笑顔で見ているので、子供の耳元でこっそり「横のおばあちゃんと少しお話してもらえるかな」と言うと、子供はおばあちゃんと話し始めた。横で見ていると何気ない会話であるが、子供はおばあちゃんが何を言っても笑顔で聞いてくれるので、得意になって話していた。おばあちゃんは始終最高の笑顔で子供の話を聞いてくれて、子供との会話を楽しんでいた。
２０分くらいの時間であったが、別れるとき子供が「バイバイ」と手を振ると、寂しげな様子ではあるが笑顔で「バイバイ」と手を振ってくれた。
見知らぬ者どおしが、このような時間を過ごすのもいいものと考えられる。【００２８】  登録している子供を福祉施設の高齢者にシステムに準じて紹介し、実施状況の改善を随時行っていく。そのシステムの実施例等を官公庁及び福祉団体にアピールして、協力の依頼を行う。
【産業上の利用可能性】
【００２９】  地方ならではの風習があることから、市町村単位でこのシステムを福祉活動の一環として導入することを考えていただくよう努力する。市町村の福祉予算で、少年・少女及び幼児が高齢者に面接する時に発生する交通費等の諸費用、高齢者と少年・少女及び幼児が一緒遊べる施設に入る諸費用など、金銭的な支援・支給を行えれば最良と考える。【００３０】  「病は気から」というように医療機関及び大学等の研究機関と協力できれば、高齢者の気持ちの変化が病気とどう関連するか（例えば痴呆との関連性）を統計的に知ることが可能と考えられ、予防法の開発に寄与できる可能性もある。【００３１】  本システムはボランティア的な要素をかなり含んでいるが、ボランティアでは十分な管理体制はできない。高齢者介護もボランティア的要素を含んでいるが、福祉事業として成り立っているように、本システムも福祉事業の一環として定着できるようにする。定着できれば新規の雇用を産出し、微力ではあるが雇用問題の手助けができる。【００３２】  民間企業の協力が得られれば、企業が所有する施設及び物品等の利用をある程度軽減していただき、高齢者と子供の面会がさらに楽しいものになるものと考える。企業が所有する施設及び物品等の需要が増えると考える。【００３２】  幼児のいる家庭では、幼児を常に監視していなければならないので、保護者の行動（買い物等）が制限されているのが現状である。本システムの導入と高齢者と子供の親密性が向上すれば、三世代住居のとおり高齢者に子供を見てもらっている間に保護者の行いたい行動が可能となり、保護者の社会活動参加が可能となると考える。【００３３】  Ｗｉｎｄｏｗｓではパッケージ版とパソコンへのインストール版がある。本システムも同様にパッケージ版と福祉事業の一部する両者が考えられるが、パソコンでもインストール版が主流であることから、本システムも福祉事業の一環として導入するようにすれば早期に多数のパートナーの育成が可能となる。福祉事業予算内で新規パートナーの育成と既存パートナーの維持管理が可能となる。【００３４】  高齢者とは限らず、子供ができず悩んでいる夫婦等にも本システムを適用させることによって、その夫婦の人生感が変化し、社会公共への貢献する意欲が生じるものと考える。【００３５】  悪質な業者が介入し、高齢者や少年・少女及び幼児の保護者から金品等を徴収することを避けるために、特許申請して介入を防止するものである。
【符号の説明】
【・・・・】
１
２
３
【図１】
2011040014.tif 000003
【図２】
2011040014.tif 000004
【図３】
2011040014.tif 000005